(57)【要約】 【課題】  簡単な構成で、銃の落下等による衝撃が繰り返されても確実に銃床前部体に銃床後部体を固定するようにした銃の伸縮式銃床を提供する。【解決手段】  挿入杆１６に前後方向に間隔をあけて複数のピン嵌合孔２４を設け、銃床前部体２に設けたピン孔９に前記ピン嵌合孔２４に係合する係合ピン１１を嵌挿し、その係合ピン１１を銃床前部体２に備えたレバー部材２８により移動可能とし、銃床前部体２の嵌挿孔４に所定量挿入した挿入杆１６のピン嵌合孔２４にレバー部材２８の作動により係合ピン１１を係脱させるようにした。【選択図】  図２
2010002086.tif 000002
【特許請求の範囲】
【請求項１】
前端部を銃の機関部に装着可能な銃床前部体に後方に開口する前後方向の嵌挿孔を設け、その嵌挿孔に銃床後部体の挿入杆を前後方向へ移動可能に挿入し、挿入杆を嵌挿孔に所定量挿入した状態で挿入杆を銃床前部体に固定するようにしてある銃の伸縮式銃床において、前記挿入杆に前後方向に間隔をあけて複数のピン嵌合孔を設け、銃床前部体に設けたピン孔に前記ピン嵌合孔に係合する係合ピンを嵌挿し、銃床前部体には前記係合ピンを手動によりピン孔に沿って移動させる操作手段を備え、嵌挿孔に所定量挿入した挿入杆のピン嵌合孔に操作手段の作動により係合ピンを係脱させるようにしたことを特徴とする銃の伸縮式銃床。
【請求項２】
操作手段は、銃床前部体に備えた軸部材に軸支されたレバー部材であって、レバー部材の一方を係合ピンに係合させ、その一方を揺動して係合ピンをピン孔に沿って移動させるようにしたことを特徴とする請求項１記載の銃の伸縮式銃床。
【請求項３】
挿入杆の前方に開口する前後方向の収納孔を設け、銃床前部体の嵌挿孔端面と収納孔端面との間にバネ部材を介在させ、操作手段の作動により係合ピンの係合状態が解除された挿入杆を後方へ移動させるようにしたことを特徴とする請求項１または２記載の銃の伸縮式銃床。
【発明の詳細な説明】
【技術分野】
【０００１】
本発明は、銃床の長さを変更可能な伸縮式銃床に関する。
【背景技術】
【０００２】
従来、銃床の長さを変更可能な伸縮式銃床は、特許文献１，２に記載のように、前端部を銃の機関部に装着可能な銃床前部体（支持筒）に後方に開口する前後方向の嵌挿孔を設け、その嵌挿孔に銃床後部体の挿入杆（支持ロッド）を前後方向へ移動可能に挿入し、挿入杆（支持ロッド）を嵌挿孔に所定量挿入することで銃床長さを変更するようにしたものが知られている。そして、特許文献１では、銃床後部体に備えた操作部材の移動によって作動する一対の係合ピンを挿入杆の前端部に設け、前記一対の係合ピンを係脱させる一対のピン嵌合孔を嵌挿孔の前後方向に複数設け、挿入杆を嵌挿孔に所定量挿入させ、一対の係合ピンを一対のピン嵌合孔に係合させることで、銃床前部体の嵌装孔に所定量挿入させた挿入杆を固定するようになっている。また、特許文献２では、支持筒の後端部に螺合された螺子を支持ロッドに形成された係止溝に係合させることで、支持筒に所定量挿入させた支持ロッドを固定するようになっている。
【特許文献１】特開２００８−８５２５号公報
【特許文献２】米国特許第６５６０９１１号明細書
【発明の開示】
【発明が解決しようとする課題】
【０００３】
上記の特許文献１では、挿入杆に設けた一対の係合ピンに係合した操作棒を銃床後部体に備えた操作部材によって前後移動させるようになっている。ところが、操作棒と操作部材とをボルト部材で連結する構成のため、銃の落下等による衝撃が繰り返されるとボルト部材が緩んでしまい操作部材から操作棒が外れ、確実に一対の係合ピンを作動させることができないおそれがあった。また、一対の係合ピンを挿入杆の前端部に形成したカム溝に沿って移動させるために、カム溝が磨耗することで係合ピンを滑らかに移動させることが出来ず、銃床の長さの変更が速やかに行えないおそれがった。特許文献２では、螺子を係止溝に係合させるので、上記同様、銃の落下等による衝撃が繰り返されると螺子が緩んでしまい支持ロッドが移動してしまうおそれがあった。また、螺子が支持筒の外側に備えてあるので螺子が破損しやすく、銃床の長さの変更が行えないおそれがあった。
そこで本発明の課題は、上記問題点に鑑み、簡単な構成で、銃の落下等による衝撃が繰り返されても確実に銃床前部体に銃床後部体を固定するようにした銃の伸縮式銃床を提供することを目的とする。
【課題を解決するための手段】
【０００４】
本発明は、前端部を銃の機関部に装着可能な銃床前部体に後方に開口する前後方向の嵌挿孔を設け、その嵌挿孔に銃床後部体の挿入杆を前後方向へ移動可能に挿入し、挿入杆を嵌挿孔に所定量挿入した状態で挿入杆を銃床前部体に固定するようにしてある銃の伸縮式銃床において、前記挿入杆に前後方向に間隔をあけて複数のピン嵌合孔を設け、銃床前部体に設けたピン孔に前記ピン嵌合孔に係合する係合ピンを嵌挿し、銃床前部体には前記係合ピンを手動によりピン孔に沿って移動させる操作手段を備え、嵌挿孔に所定量挿入した挿入杆のピン嵌合孔に操作手段の作動により係合ピンを係脱させるようにしたことを特徴とする。具体的には操作手段は、銃床前部体に備えた軸部材に軸支されたレバー部材であって、レバー部材の一方を係合ピンに係合させ、その一方を揺動して係合ピンをピン孔に沿って移動させるようにしたことを特徴とする。また、挿入杆の前方に開口する前後方向の収納孔を設け、銃床前部体の嵌挿孔端面と収納孔端面との間にバネ部材を介在させ、操作手段の作動により係合ピンの係合状態が解除された挿入杆を後方へ移動させるようにしたことを特徴とする。
【発明の効果】
【０００５】
本発明では、挿入杆に前後方向に間隔をあけて複数のピン嵌合孔を設け、銃床前部体に設けたピン孔に前記ピン嵌合孔に係合する係合ピンを嵌挿し、銃床前部体には前記係合ピンを手動によりピン孔に沿って移動させる操作手段を備え、嵌挿孔に所定量挿入した挿入杆のピン嵌合孔に操作手段の作動により係合ピンを係脱させるようにしたことで、銃の落下等による衝撃が繰り返されても、係合ピンに係合したレバー部材により確実に係合ピンを移動させることが可能となる。また、レバー部材の作動により係合ピンがピン孔に沿って移動することから、レバー部材と係合ピンとの係合部分が磨耗しても係合ピンをピン孔に沿って移動させることが可能となる。更に、銃床前部材の嵌装孔と挿入杆の収納孔との間にバネ部材を介在させ、バネ部材により銃床後部体が後方へ移動するので銃床後部体を前方へ移動させるだけでよく、速やかに銃床の長さを変更することが可能となる。
【発明を実施するための最良の形態】
【０００６】
図１に示す銃の伸縮式銃床１は、前端部を図示しない銃の機関部に装着可能な銃床前部体２と、銃床前部体２に前後方向へ伸縮可能に装着される銃床後部体３とから成る。銃床前部体２について説明する。銃床前部体２には後方に開口する前後方向の嵌装孔４が設けられている。また、銃床前部体２には、前端部に図示しない機関部の嵌合部に嵌合可能な嵌合凹部５が形成され、嵌合凹部５と嵌挿孔４との間の仕切壁６に取付ねじ７が抜け止めされた状態で回転自在に保持されている。銃床前部体２の後端部には、下方に突起するように突起部８が形成され、その突起部８に前記嵌挿孔４に開口する上下方向のピン孔９が設けられている。そのピン孔９には突起部８下面に開口する貫通孔１０が連設されている。ピン孔９には後述するピン嵌合孔２４に係脱させる係合ピン１１が嵌挿されている。係合ピン１１は係合部体１２と軸部１３とから成り、前記貫通孔１０を介して突起部８の外方に軸部１３先端が突出している。また、係合部体１２とピン孔９下面との間に第１バネ部材１４を介在させ、バネ力により係合ピン１１の係合部体１２先端が嵌挿孔４内側に突出するようになっている。
【０００７】
次に銃床後部体３について説明する。銃床後部体３は、周知の形状に形成されている樹脂製または金属製の肩当本体１５と、その肩当本体１５から前方へ突設されている樹脂製または金属製の挿入杆１６とで構成されている。肩当本体１５は、複数の装着孔１７ａを有すると共に中心部に取付孔１７ｂを有する硬質樹脂製の基板１７と、基板１７の後側に装着孔１７ａを用いて一体に装着されている軟質樹脂製の肩当部材１８と、基板１７の前側に取付孔１７ｂに挿入された取付ねじ１９によって取着されている樹脂製の肩当前部材２０とで構成されている。肩当前部材２０の両側の中間部側壁には係止窓２０ａが形成され、これらの係止窓２０ａにねじ孔２１ａを備えた金属製の取付金具２１が抜止状態に架設され、取付金具２１のねじ孔２１ａに取付ねじ１９が螺合されて肩当前部材２０が基板１７に固着されている。前記挿入杆１６には、前方に開口する前後方向の収納孔２２が設けられている。挿入杆１６に形成された長溝２３内に前後方向に間隔をあけて複数（本実施形態では４個）のピン嵌合孔２４が設けられている。銃床前部体２の嵌挿孔４に挿入された挿入杆１６の収納孔２２端面と前記嵌挿孔４端面（仕切壁６）との間に第２バネ部材２５を介在させ、バネ力により挿入杆１６（銃床後部体３）を後方へ移動させるようになっている。尚、本実施形態では前記バネ部材２５の一方は取付ねじ７の頭部７ａに支持されている。
【０００８】
銃床前部体２には、前記係合ピン１１を手動によりピン孔９に沿って移動させる操作手段２６が備えられている。その操作手段２６は、銃床前部体２に備えた軸部材２７に軸支されたレバー部材２８である。レバー部材２８は、突起部８を覆うように左右両側を上方に突出させ、縦断面がへの字形状となるようにしたものであり、一方には前記係合ピン１１の軸部材１３を貫通させる長孔である係合孔２９が設けられている。その係合孔２９を貫通した係合ピン１１の軸部材１３に抜け止め部材３０を取付けることで、係合ピン１１とレバー部材２８が係合されている。よって、操作手段２６のレバー部材２８を作動して一方を下方（図３の状態）へ揺動すると、係合ピン１１がバネ力に抗して下方へ移動するので、係合ピン１１の係合部体１２が嵌挿孔４からピン孔９内に移動する。また、レバー部材２８を作動して一方を上方（図２の状態）へ揺動すると、係合ピン１１がバネ力により上方へ移動するので、係合ピン１１の係合部体１２がピン孔９内から嵌挿孔４内に移動するようになっている。また、レバー部材２８を作動して一方を下方へ揺動したときに、図３に示すように、係合ピン１１の係合部体１２の先端部が前記長溝２３から離脱しないように抜け止め部材３０の取付位置が調整されている。更に、銃の落下等によってレバー部材２８の他方が地面等にある凸部（図示しない）に当接しても、レバー部材２８の一方が下方へ揺動しないように第１バネ部材１４のバネ力が決められている。
【０００９】
次に、上記構成の伸縮式銃床１の作動について説明する。伸縮式銃床１（以下銃床という）は、銃床前部体２の前端部の嵌合凹部５を図示しない銃の機関部の嵌合部に嵌合させて取付ねじ７によって銃床前部体２が銃の機関部に固着されている。
図２の状態から銃床１の長さを変更するために、銃を所持している者が銃床後部体３の肩当本体１５を肩に当てた状態で、銃を支えた手と異なる手により操作手段２６のレバー部材２８を作動して一方を下方へ揺動させ、係合ピン１１をバネ部材１４のバネ力に抗して下方に移動させる。すると、銃床後部体３の挿入杆１６のピン嵌合孔２４と係合ピン１１との係合状態が解除されると共に、第２バネ部材２５により挿入杆１６が後方へ移動することになる。こうして銃床前部体２に対して銃床後部体３が前後方向に移動可能となるので、銃を所持している者は適した銃床１の長さとなるように銃床後部体３を前方へ移動させる（図３の状態）。本発明では、第２バネ部材２５により銃床後部体３が後方へ移動するので銃床後部体３を前方へ移動させるだけでよく、速やかに銃床１の長さを変更することが可能となる。また、挿入杆１６に設けた長溝２３と係合ピン１１との係合状態により銃床後部体３が銃床前部体２から外れないようになっている。その後、適した銃床１の長さとなると、前記した手により操作手段２６のレバー部材２８を作動して一方を上方へ揺動させ、係合ピン１１がバネ力により上方へ移動して係合ピン１１の係合部体１２が挿入杆１６のピン嵌合孔２４に係合するので、挿入杆１６を嵌挿孔４に所定量挿入した状態で挿入杆１６を銃床前部体２に固定することができる。
【００１０】
従って、銃の落下等による衝撃が繰り返されても、従来のように、係合ピン１１を作動させる複数の部品の係合状態が解除されることなく、係合ピン１１に係合したレバー部材２８により確実に係合ピン１１を移動させることができる。また、レバー部材２８の作動により係合ピン１１がピン孔９に沿って移動することから、レバー部材２８と係合ピン１１との係合部分が磨耗しても係合ピン１１をピン孔９に沿って移動させることができる。更に、銃床前部体２に設けたピン孔９に嵌挿した係合ピン１１を挿入杆１６のピン嵌合孔２４に係合させるようにしたので、従来のように、螺子が緩むことで支持ロッドが移動してしまうことがないから、確実に銃床前部体２に銃床後部体３を固定することができる。また、係合ピン１１が銃床前部体２に設けたピン孔９に嵌挿されているので、従来のように係合ピン１１が破損することがないから、確実に銃床１の長さを変更することができる。
【図面の簡単な説明】
【００１１】
【図１】本発明の銃の伸縮式銃床を示す図である。
【図２】図１の伸縮式銃床の縦断面図である。
【図３】レバー部材を作動し、銃床後部体を前方へ移動させた状態を示す図である。
【図４】図１のＩＶ視図である。
【符号の説明】
【００１２】
１      伸縮式銃床
２      銃床前部体
３      銃床後部体
４      嵌挿孔
９      ピン孔
１１      係合ピン
１６      挿入杆
２２      収納孔
２４      ピン嵌合孔
２５      第２バネ部材
２６      操作手段
２７      軸部材
２８      レバー部材
【図１】
2010002086.tif 000003
【図２】
2010002086.tif 000004
【図３】
2010002086.tif 000005
【図４】
2010002086.tif 000006